(57)【要約】【課題】カルテ入力の効率化を図る。【解決手段】本カルテ表示処理方法は、特定の患者に対する診療を複数のユーザにより行う場合における方法であって、特定のユーザから特定の患者に係るカルテ入力画面の表示指示を受け付けた場合、患者の識別情報と当該患者を担当する複数のユーザの識別情報とを含む予約情報を格納している予約DBから特定の患者の識別情報を含む予約情報を取得する取得ステップと、取得した予約情報に特定のユーザの識別情報が含まれる場合には、当該予約情報に含まれる複数のユーザの各々の入力領域を備えたカルテ入力画面データを生成し、表示する表示ステップとを含む。【選択図】図１
2009217324.tif 000002
【特許請求の範囲】
【請求項１】
特定のユーザから特定の患者に係るカルテ入力画面の表示指示を受け付けた場合、患者の識別情報と当該患者を担当する複数のユーザの識別情報とを含む予約情報を格納している予約データベースから前記特定の患者の識別情報を含む前記予約情報を取得する取得ステップと、
取得した前記予約情報に前記特定のユーザの識別情報が含まれる場合には、当該予約情報に含まれる前記複数のユーザの各々の入力領域を備えたカルテ入力画面データを生成し、表示する表示ステップと、
をコンピュータに実行させるためのカルテ表示処理プログラム。
【請求項２】
前記表示ステップが、
前記特定のユーザの入力領域を入力可能に設定すると共に、前記特定のユーザ以外のユーザの入力領域を入力不可に設定するステップ
を含む請求項１記載のカルテ表示処理プログラム。
【請求項３】
認証なしに、前記予約情報に含まれる前記複数のユーザのうちの、前記特定のユーザ以外のユーザのうちいずれかのユーザの指定を含む切り替え指示を受け付けた場合、当該切り替え指示にて指定されたユーザの入力領域を入力可能に設定すると共に、当該切り替え指示にて指定されたユーザ以外のユーザの入力領域を入力不可に設定するステップ
をさらに実行させる請求項２記載のカルテ表示処理プログラム。
【請求項４】
特定の患者に対する診療を複数のユーザにより行う場合におけるカルテ表示処理方法であって、
特定のユーザから特定の患者に係るカルテ入力画面の表示指示を受け付けた場合、患者の識別情報と当該患者を担当する複数のユーザの識別情報とを含む予約情報を格納している予約データベースから前記特定の患者の識別情報を含む前記予約情報を取得する取得ステップと、
取得した前記予約情報に前記特定のユーザの識別情報が含まれる場合には、当該予約情報に含まれる前記複数のユーザの各々の入力領域を備えたカルテ入力画面データを生成し、表示する表示ステップと、
を含み、コンピュータにより実行されるカルテ表示処理方法。
【請求項５】
カルテ管理サーバと、
患者が診療を受ける際に利用するユニット毎に設けられるカルテ端末と、
を有し、
前記カルテ管理サーバは、
患者の識別情報と当該患者を担当する複数のユーザの識別情報とを含む予約情報を格納している予約データベースと、
前記カルテ端末から前記患者の識別情報を含む予約情報取得要求を受信した場合、当該予約情報取得要求に係る患者に対応し且つ前記予約データベースに格納されている前記予約情報を前記カルテ端末に送信する手段と、
を有し、
前記カルテ端末は、
特定のユーザから特定の患者に係るカルテ入力画面の表示指示を受け付けた場合、前記特定の患者の識別情報を含む前記予約情報取得要求を前記カルテ管理サーバに送信する手段と、
前記カルテ管理サーバから前記特定の患者に対応する前記予約情報を受信する手段と、
前記カルテ管理サーバから受信した前記予約情報に前記特定のユーザの識別情報が含まれる場合には、当該予約情報に含まれる前記複数のユーザの各々の入力領域を備えたカルテ入力画面データを生成し、表示する手段と、
を有する電子カルテシステム。
【発明の詳細な説明】
【技術分野】
【０００１】
本発明は、電子カルテシステムに関し、特定の患者に対する診療を複数のユーザにより行う場合において、カルテ入力の効率化を図るための技術に関する。
【背景技術】
【０００２】
従来、歯科外来は、グループ診療をベースとしているため、一人の患者に対して、複数のユーザ（例えば、歯科医師、歯科衛生士など）により同時に又は順番に診療を行っている。なお、例えば歯科医院には、患者用の椅子、うがい台、歯科用機器などを備えた歯科ユニット（以下、単に「ユニット」と呼ぶ）が複数設置され、各ユーザはユニット間（すなわち、患者間）を動いて診療を行う。
【０００３】
一方で、近年、歯科医院においても電子カルテシステムが導入されつつあり、ユニット毎にカルテ端末が設置される場合がある。この場合、ある患者の診療を行うユーザは、当該患者の座ったユニットに対応するカルテ端末を操作して、患者選択や、カルテの閲覧及び入力を行う。
【０００４】
なお、セキュリティなどの問題から、カルテ端末を操作する際には、ユーザ認証を行い、電子カルテシステムにログインする必要がある。また、上で述べたように、各ユーザはユニット間を動いて診療を行うので、あるユーザが「電子カルテシステムへのログイン→患者選択→カルテ入力→ログアウト」を行い、次のユーザも「電子カルテシステムへのログイン→患者選択→カルテ入力→ログアウト」を行う必要がある。すなわち、ユーザは、ユニットを移動する度に、電子カルテシステムへのログイン及び患者選択を行わなければならない。そのため、診療の効率向上を阻害したり、患者の取り違いが起きるという問題があった。
【０００５】
例えば特開２００６−１６３５０４号公報には、カルテ情報の入力途中で利用者が一旦離席した後に席に戻り、中断していたカルテ情報入力を再開した場合にも誤りのないカルテ更新処理を行うことを可能とする技術が開示されている。
【特許文献１】特開２００６−１６３５０４号公報
【発明の開示】
【発明が解決しようとする課題】
【０００６】
しかしながら、上記公報では、例えば歯科外来のように、ユーザがユニット間を動いて診療を行う場合については考慮されていない。そのため、ユーザは、ユニットを移動する度に、電子カルテシステムへのログイン及び患者選択を行わなければならない。
【０００７】
従って、本発明の目的は、特定の患者に対する診療を複数のユーザにより行う場合において、カルテ入力の効率化を図るための技術を提供することである。
【課題を解決するための手段】
【０００８】
本発明の第１の態様に係るカルテ表示処理方法は、特定の患者に対する診療を複数のユーザにより行う場合におけるカルテ表示処理方法であって、特定のユーザから特定の患者に係るカルテ入力画面の表示指示を受け付けた場合、患者の識別情報と当該患者を担当する複数のユーザの識別情報とを含む予約情報を格納している予約データベースから特定の患者の識別情報を含む予約情報を取得する取得ステップと、取得した予約情報に特定のユーザの識別情報が含まれる場合には、当該予約情報に含まれる複数のユーザの各々の入力領域を備えたカルテ入力画面データを生成し、表示する表示ステップとを含む。
【０００９】
このようにすれば、グループ診療を行う場合において、当該グループに含まれる各ユーザの入力領域を備えたカルテ入力画面を表示することができる。すなわち、ある患者のカルテ入力画面が既に表示されている状態であれば、次に診療を行うユーザは、ユニットを移動してきたとしても、電カルテシステムへのログイン及び患者選択を行う必要はないため、診療の効率向上となる。また、患者の取り違いも防止することができる。
【００１０】
また、表示ステップが、特定のユーザの入力領域を入力可能に設定すると共に、特定のユーザ以外のユーザの入力領域を入力不可に設定するステップを含むようにしてもよい。また、認証なしに、予約情報に含まれる複数のユーザのうちの、特定のユーザ以外のユーザのうちいずれかのユーザの指定を含む切り替え指示を受け付けた場合、当該切り替え指示にて指定されたユーザの入力領域を入力可能に設定すると共に、当該切り替え指示にて指定されたユーザ以外のユーザの入力領域を入力不可に設定するステップをさらに含むようにしてもよい。
【００１１】
このようにすれば、例えば現在診療を行っているユーザのみカルテ入力が可能となり、入力ミスなどを防止することができる。
【００１２】
さらに、特定のユーザから当該特定のユーザに係るユーザ情報の入力を受け付け、認証処理を実施するステップをさらに含むようにしてもよい。そして、認証が成功した場合に、取得ステップ以降の処理を実施する場合もある。このようにすれば、認証を行うので、セキュリティを向上させることができる。
【００１３】
また、取得ステップが、患者のカルテデータを格納しているカルテデータベースから特定の患者に係るカルテデータを取得するステップを含むようにしてもよい。そして、表示ステップが、取得したカルテデータを表示するステップを含むようにしてもよい。
【００１４】
本発明の第２の態様に係る電子カルテシステムは、カルテ管理サーバと、患者が診療を受ける際に利用するユニット毎に設けられるカルテ端末とを有する。そして、カルテ管理サーバは、患者の識別情報と当該患者を担当する複数のユーザの識別情報とを含む予約情報を格納している予約データベースと、カルテ端末から患者の識別情報を含む予約情報取得要求を受信した場合、当該予約情報取得要求に係る患者に対応し且つ予約データベースに格納されている予約情報をカルテ端末に送信する手段とを有する。また、カルテ端末は、特定のユーザから特定の患者に係るカルテ入力画面の表示指示を受け付けた場合、特定の患者の識別情報を含む予約情報取得要求をカルテ管理サーバに送信する手段と、カルテ管理サーバから特定の患者に対応する予約情報を受信する手段と、カルテ管理サーバから受信した予約情報に特定のユーザの識別情報が含まれる場合には、当該予約情報に含まれる複数のユーザの各々の入力領域を備えたカルテ入力画面データを生成し、表示する手段とを有する。
【００１５】
なお、本発明に係るカルテ表示処理方法をコンピュータに実行させるためのプログラムを作成することができ、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してディジタル信号にて頒布される場合もある。なお、処理途中のデータについては、コンピュータのメモリ等の記憶装置に一時保管される。
【発明の効果】
【００１６】
本発明によれば、特定の患者に対する診療を複数のユーザにより行う場合において、カルテ入力の効率化を図ることができる。
【発明を実施するための最良の形態】
【００１７】
本発明の一実施の形態に係る電子カルテシステムの概要を図１に示す。例えば、歯科医院内のＬＡＮ（Local Area Network）であるネットワーク１には、カルテデータなどを管理するカルテ管理サーバ３と、ユーザ（例えば、歯科医師、歯科衛生士）により操作されるカルテ端末５（図１では、５Ａ、５Ｂ、・・・）とが接続されている。なお、カルテ端末５は、患者用の椅子、うがい台、歯科用機器などを備えたユニット（図１では、ユニットＡ、ユニットＢ、・・・）毎に設置されている。
【００１８】
カルテ管理サーバ３は、患者の予約を受け付ける予約処理部３１と、カルテ端末５からの要求に応じてユーザ認証を行う認証処理部３２と、カルテ端末５とデータのやり取りを行うインタフェース部３３とを含む。また、カルテ管理サーバ３は、カルテデータを格納するカルテＤＢ３４と、ユーザ情報を格納するユーザマスタＤＢ３５と、予約を受けた患者を診療するユーザのグループの情報を格納するグループＤＢ３６と、カルテ端末５の情報を格納する端末情報ＤＢ３７とを管理している。
【００１９】
カルテ端末５Ａは、ユーザからの操作指示を受け付ける入力部５１と、後で説明するカルテ入力画面のデータを生成するカルテ入力画面データ生成部５２とを含む。なお、図１の例では図示していないが、カルテ端末５Ｂも、カルテ端末５Ａと同じ構成を有する。
【００２０】
図２に、ユーザマスタＤＢ３５に格納されるデータの一例を示す。図２の例では、ユーザマスタＤＢ３５には、ユーザＩＤの列と、ユーザ名の列と、パスワードの列とが含まれる。
【００２１】
図３に、グループＤＢ３６に格納されるデータの一例を示す。図３の例では、グループＤＢ３６には、患者ＩＤの列と、患者名の列と、開始時間の列と、終了時間の列と、ユニットの列と、担当者の列とが含まれる。担当者の列は、さらにユーザ毎の列に分かれている（図３の例では、ユーザ１、ユーザ２、ユーザ３、・・・）。患者ＩＤ及び患者名の列には、予約患者の情報が設定される。また、開始時間の列には、当該予約に係る開始時間が設定され、終了時間の列には、当該予約に係る終了時間が設定される。ユニットの列には、患者が当日利用するユニットの情報が設定される。また、担当者の列には、当該患者を担当する１又は複数のユーザのユーザＩＤが設定される。
【００２２】
図４に、端末情報ＤＢ３７に格納されるデータの一例を示す。図４の例では、端末情報ＤＢ３７には、端末名の列と、ＩＰアドレスの列と、対応ユニットの列とが含まれる。ＩＰアドレスの列には、当該カルテ端末のＩＰアドレスが設定される。また、対応ユニットの列には、当該カルテ端末が設置されているユニットの情報が設定される。
【００２３】
次に、図５乃至図１０を用いて、図１に示したシステムの処理を説明する。まず、図５を用いて、患者の予約を行う際の処理について説明する。例えば患者から予約の申し込みを受けると、歯科医院の受付担当者は、カルテ管理サーバ３を操作して、予約患者入力ページ（図示せず）にアクセスする。そして、受付担当者は、カルテ管理サーバ３を操作して、患者情報、予約時間を入力する。カルテ管理サーバ３の予約処理部３１は、患者情報、予約時間の入力を受け付け、一旦記憶装置に格納する（図５：ステップＳ１）。その後、予約患者入力ページからユーザ選択ページ（図示せず）に移行する。そして、受付担当者は、カルテ管理サーバ３を操作して、当該患者を担当するユーザを選択する。例えば、予約可能なユーザの一覧が表示され、その中から、当該患者が次回受ける予定の診療内容などを考慮して選択する。予約処理部３１は、当該患者を担当するユーザの選択入力を受け付け、一旦記憶装置に格納する（ステップＳ３）。そして、当該患者を担当するユーザが他にもいる場合（ステップＳ５：Ｙｅｓルート）、ステップＳ３の処理を繰り返す。
【００２４】
一方、当該患者を担当するユーザが他にいなければ（ステップＳ５：Ｎｏルート）、ユーザ選択ページからユニット選択ページ（図示せず）に移行する。そして、受付担当者は、カルテ管理サーバ３を操作して、当該患者が当日利用するユニットを選択する。予約処理部３１は、ユニットの選択入力を受け付け、一旦記憶装置に格納する（ステップＳ７）。そして、予約処理部３１は、記憶装置に格納されたデータ（すなわち、患者情報、予約時間、ユーザ及びユニット）に基づきレコードを生成し、グループＤＢ３６に登録する（ステップＳ９）。例えば、患者Ａの予約において、「Ｄｒ．Ａ（ユーザＩＤ：ＤＲ００１）」、「Ｄｒ．Ｂ（ユーザＩＤ：ＤＲ００２）」及び「衛生士Ａ（ユーザＩＤ：ＥＩ００１）」の三人のユーザが選択された場合には、図３に示すようなレコード（患者ＩＤ：ＫＡ００１）が登録される。なお、予約当日までにユーザの追加、削除又は変更を行う場合もある。
【００２５】
以上のような処理を実施することにより、予約毎に、当該予約に係るグループの情報を登録することができる。
【００２６】
次に、図６乃至図１０を用いて、診療時の処理について説明する。なお、本実施の形態では、図３に示したレコード（患者ＩＤ：ＫＡ００１）に係る患者Ａを診療する場合を例に説明する。例えば、ユーザは、予約の開始時間になると、当該予約に係るユニットに対応するカルテ端末５を操作して、電子カルテシステムにログインする（図６：ステップＳ１１）。具体的には、ユーザがカルテ端末５を操作して、自身のユーザＩＤ及びパスワードを入力し、カルテ端末５の入力部５１が、ユーザＩＤ及びパスワードの入力を受け付け、カルテ管理サーバ３に送信する。そして、カルテ管理サーバ３の認証処理部３２が、受信したユーザＩＤ及びパスワードと、ユーザマスタＤＢ３５に格納されたデータとに基づき認証処理を実施する。
【００２７】
カルテ管理サーバ３の認証処理部３２による認証が完了すると、カルテ管理サーバ３のインタフェース部３３は、グループＤＢ３６に格納されたデータに基づき、患者選択画面データを生成し、カルテ端末５に送信する。そして、カルテ端末５の入力部５１は、カルテ管理サーバ３からの患者選択画面データを受信し、表示装置に表示する（ステップＳ１３）。例えば、患者選択画面には、本日の予約患者の一覧が表示される。そして、ユーザは、カルテ端末５を操作して、患者Ａを選択する。カルテ端末５の入力部５１は、患者の選択入力を受け付け、選択患者の識別情報をカルテ管理サーバ３に送信する（ステップＳ１５）。カルテ管理サーバ３のインタフェース部３３は、カルテ端末５から患者の識別情報を受信すると、当該患者のカルテデータをカルテＤＢ３４から抽出し、さらに当該患者の本日の予約に係るレコードをグループＤＢ３６から抽出する。また、インタフェース部３３は、送信元のカルテ端末５のＩＰアドレスを基に、端末情報ＤＢ３７から当該カルテ端末５に対応するユニットの情報を抽出する。そして、インタフェース部３３は、抽出したデータをカルテ端末５に送信する。
【００２８】
カルテ端末５の入力部５１は、カルテ管理サーバ３から、選択患者のカルテデータ、本日の予約に係るレコード及び対応ユニットの情報を受信し、一旦記憶装置に格納する（ステップＳ１７）。そして、カルテ端末５のカルテ入力画面データ生成部５２は、カルテ管理サーバ３から２以上のレコードを受信したか判断する（ステップＳ１９）。２以上のレコードを受信した場合（ステップＳ１９：Ｙｅｓルート）、予約時間が現時刻に最も近いレコードを処理対象として特定する（ステップＳ２１）。一方、２以上のレコードを受信していなければ（ステップＳ１９：Ｎｏルート）、すなわち１レコードのみ受信した場合には、ステップＳ２１の処理をスキップし、ステップＳ２３の処理に移行する。
【００２９】
そして、カルテ端末５のカルテ入力画面データ生成部５２は、ログイン・ユーザは担当者として当該レコードに設定されているか判断する（ステップＳ２３）。ログイン・ユーザが担当者として当該レコードに設定されていないと判断された場合（ステップＳ２３：Ｎｏルート）、端子Ａを介してステップＳ２７（図７）の処理に移行する。
【００３０】
一方、ログイン・ユーザが担当者として当該レコードに設定されていると判断された場合（ステップＳ２３：Ｙｅｓルート）、カルテ端末５のカルテ入力画面データ生成部５２は、利用しようとしているユニットが、当該レコードに設定されているユニットであるか判断する（ステップＳ２５）。具体的には、カルテ管理サーバ３から受信した対応ユニットと、当該レコードに設定されているユニットとが同一であるか判断する。利用しようとしているユニットが、当該レコードに設定されているユニットでないと判断された場合（ステップＳ２５：Ｎｏルート）、端子Ａを介してステップＳ２７（図７）の処理に移行する。
【００３１】
一方、利用しようとしているユニットが、当該レコードに設定されているユニットであると判断された場合（ステップＳ２５：Ｙｅｓルート）、端子Ｂを介してステップＳ３１（図７）の処理に移行する。
【００３２】
図７の説明に移行して、端子Ａの後、カルテ端末５のカルテ入力画面データ生成部５２は、ログイン・ユーザの入力欄を設けたカルテ入力画面データを生成し、表示装置に表示する（図７：ステップＳ２７）。例えば図８に示すようなカルテ入力画面が表示される。
【００３３】
図８の例では、カルテ入力画面には、過去の診療に係るカルテの表示欄８０１と、カルテ入力欄８０２と、カルテ入力に関連するボタン群８０３と、ログアウトボタン８０４と、保存ボタン８０５とが設けられている。なお、図８は、Ｄｒ．Ｄがログインした場合の例であり（Ｄｒ．Ｄは患者Ａの担当者でないとする）、カルテ入力欄８０２には、Ｄｒ．Ｄ用の入力欄のみ設けられている。本実施の形態では、ログイン・ユーザが選択患者の担当者でない場合又は予約に係るユニット以外のユニットに対応するカルテ端末５を操作している場合には、図８のようなカルテ入力画面が表示される。
【００３４】
そして、ユーザによりカルテの入力が行われた場合には、カルテ端末５の入力部５１は、カルテの入力を受け付け、一旦記憶装置に格納する（ステップＳ２９）。なお、図示していないが、保存ボタン８０５（図８）がクリックされた場合には、記憶装置に格納されたカルテデータをカルテ管理サーバ３に送信する。そして、ログアウトボタン８０４（図８）がクリックされた場合、後で説明するステップＳ４３の処理に移行する。
【００３５】
一方、端子Ｂの後、カルテ端末５のカルテ入力画面データ生成部５２は、当該レコードに含まれる各ユーザの入力欄を設けたカルテ入力画面データを生成する（ステップＳ３１）。そして、ログイン・ユーザの入力欄を入力可能に設定し、表示装置に表示する（ステップＳ３３）。なお、ログイン・ユーザ以外のユーザの入力欄については入力不可に設定する。例えば図９に示すようなカルテ入力画面が表示される。
【００３６】
図９の例では、カルテ入力画面には、過去の診療に係るカルテの表示欄９０１と、カルテ入力欄９０２と、カルテ入力に関連するボタン群９０３と、ログアウトボタン９０４と、保存ボタン９０５と、ユーザ選択欄９０６とが設けられている。なお、図９は、Ｄｒ．Ａがログインした場合の例であり（Ｄｒ．Ａ、Ｄｒ．Ｂ及び衛生士Ａが患者Ａの担当者であるものとする）、カルテ入力欄９０２には、Ｄｒ．Ａ用の入力欄と、Ｄｒ．Ｂ用の入力欄と、衛生士Ａ用の入力欄とが設けられている。カルテ入力欄９０２において、太枠の入力欄（すなわち、Ｄｒ．Ａ用の入力欄）は、Ｄｒ．Ａによる入力が可能であることを示す。また、ユーザ選択欄９０６には、Ｄｒ．Ａのボタンと、Ｄｒ．Ｂのボタンと、衛生士Ａのボタンとが設けられている。ユーザ選択欄９０６において、網掛けのボタン（すなわち、Ｄｒ．Ａのボタン）は、現在選択されているユーザを示す。なお、ユーザ選択欄９０６におけるボタンと、カルテ入力欄９０２における太枠の入力欄とは連動しており、カルテ入力欄９０２において、ユーザ選択欄９０６で選択されているユーザの入力欄が入力可能（すなわち、太枠表示）となる。
【００３７】
そして、ユーザによりカルテの入力が行われた場合には、カルテ端末５の入力部５１は、カルテの入力を受け付け、一旦記憶装置に格納する（ステップＳ３５）。なお、図示していないが、保存ボタン９０５（図９）がクリックされた場合には、記憶装置に格納されたカルテデータをカルテ管理サーバ３に送信する。そして、他のユーザによる診療行為がある場合（ステップＳ３７：Ｙｅｓルート）、カルテ端末５の入力部５は、ユーザ切り替え指示を受け付ける（ステップＳ３９）。そして、カルテ端末５のカルテ入力画面データ生成部５２は、切り替え指示に係るユーザの入力欄を入力可能に設定し、カルテ入力画面を表示装置に表示する（ステップＳ４１）。なお、切り替え指示に係るユーザ以外のユーザの入力欄については入力不可に設定する。例えば図１０に示すようなカルテ入力画面が表示される。
【００３８】
図１０の例では、カルテ入力画面には、過去の診療に係るカルテの表示欄１００１と、カルテ入力欄１００２と、カルテ入力に関連するボタン群１００３と、ログアウトボタン１００４と、保存ボタン１００５と、ユーザ選択欄１００６とが設けられている。なお、図１０は、図９に示したカルテ入力画面において、Ｄｒ．Ａによるカルテ入力が行われた後、ユーザ選択欄９０６のＤｒ．Ｂのボタンがクリックされた場合のカルテ入力画面である。従って、ユーザ選択欄１００６において、Ｄｒ．Ｂのボタンが網掛けになっており、カルテ入力欄１００２において、Ｄｒ．Ｂ用の入力欄が太枠になっている。
【００３９】
一方、ステップＳ３７において、他のユーザによる診療行為がなければ（ステップＳ３７：Ｎｏルート）、すなわち、患者Ａに対する診療が終了し、ログアウトボタン９０４（図９）又は１００４（図１０）がクリックされた場合、ステップＳ４３の処理に移行する。
【００４０】
ログアウトボタン８０４（図８）、９０４（図９）又は１００４（図１０）がクリックされると、カルテ端末５の入力部５１は、ログアウト指示を受け付け、記憶装置に格納されたカルテデータをカルテ管理サーバ３に送信し、ログアウトする（ステップＳ４３）。そして、処理を終了する。
【００４１】
以上のような処理を実施することにより、グループのいずれかのユーザがログインしていれば、次に診療を行うユーザは、電子カルテシステムへのログイン及び患者選択を行わずに、カルテ入力を行うことができるようになる。また、患者選択を行わなくて済むため、患者の取り違いも生じない。
【００４２】
以上本発明の一実施の形態について説明したが、本発明はこれに限定されるものではない。例えば、上で説明した機能ブロック図は必ずしも実際のプログラムモジュール構成に対応するものではない。例えばカルテ管理サーバ３は、１台のコンピュータではなく複数台のコンピュータで実現するようにしても良い。
【００４３】
また、上で説明した各テーブルの構成は一例であって、必ずしも上記のような構成でなければならないわけではない。さらに、上で述べた画面例は一例であって、同様の内容を表示する他の画面構成を採用することも可能である。また、例えば、ユーザの種別（例えば、歯科医師、歯科衛生士）によって、カルテ入力欄を異なる構成にするにしてもよい。  また、処理フローについても、処理結果が変わらなければ処理の順番を入れ替えることも可能である。さらに、並列に実行させるようにしても良い。
【００４４】
なお、カルテ管理サーバ３及びカルテ端末５は、図１１のようなコンピュータ装置であって、メモリ２５０１（記憶装置）とＣＰＵ２５０３（処理装置）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施の形態における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本発明の実施の形態では、上で述べた処理を実施するためのアプリケーション・プログラムはリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。
【００４５】
（付記１）
特定のユーザから特定の患者に係るカルテ入力画面の表示指示を受け付けた場合、患者の識別情報と当該患者を担当する複数のユーザの識別情報とを含む予約情報を格納している予約データベースから前記特定の患者の識別情報を含む前記予約情報を取得する取得ステップと、
取得した前記予約情報に前記特定のユーザの識別情報が含まれる場合には、当該予約情報に含まれる前記複数のユーザの各々の入力領域を備えたカルテ入力画面データを生成し、表示する表示ステップと、
をコンピュータに実行させるためのカルテ表示処理プログラム。
【００４６】
（付記２）
前記表示ステップが、
前記特定のユーザの入力領域を入力可能に設定すると共に、前記特定のユーザ以外のユーザの入力領域を入力不可に設定するステップ
を含む付記１記載のカルテ表示処理プログラム。
【００４７】
（付記３）
認証なしに、前記予約情報に含まれる前記複数のユーザのうちの、前記特定のユーザ以外のユーザのうちいずれかのユーザの指定を含む切り替え指示を受け付けた場合、当該切り替え指示にて指定されたユーザの入力領域を入力可能に設定すると共に、当該切り替え指示にて指定されたユーザ以外のユーザの入力領域を入力不可に設定するステップ
をさらに実行させる付記２記載のカルテ表示処理プログラム。
【００４８】
（付記４）
前記特定のユーザから当該特定のユーザに係るユーザ情報の入力を受け付け、認証処理を実施するステップ
をさらに実行させ、
認証が成功した場合に、前記取得ステップ以降の処理を実施する
ことを特徴とする付記１記載のカルテ表示処理プログラム。
【００４９】
（付記５）
前記取得ステップが、
患者のカルテデータを格納しているカルテデータベースから前記特定の患者に係る前記カルテデータを取得するステップ
を含み、
前記表示ステップが、
取得した前記カルテデータを表示するステップ
を含む付記１記載のカルテ表示処理プログラム。
【００５０】
（付記６）
特定の患者に対する診療を複数のユーザにより行う場合におけるカルテ表示処理方法であって、
特定のユーザから特定の患者に係るカルテ入力画面の表示指示を受け付けた場合、患者の識別情報と当該患者を担当する複数のユーザの識別情報とを含む予約情報を格納している予約データベースから前記特定の患者の識別情報を含む前記予約情報を取得する取得ステップと、
取得した前記予約情報に前記特定のユーザの識別情報が含まれる場合には、当該予約情報に含まれる前記複数のユーザの各々の入力領域を備えたカルテ入力画面データを生成し、表示する表示ステップと、
を含み、コンピュータにより実行されるカルテ表示処理方法。
【００５１】
（付記７）
カルテ管理サーバと、
患者が診療を受ける際に利用するユニット毎に設けられるカルテ端末と、
を有し、
前記カルテ管理サーバは、
患者の識別情報と当該患者を担当する複数のユーザの識別情報とを含む予約情報を格納している予約データベースと、
前記カルテ端末から前記患者の識別情報を含む予約情報取得要求を受信した場合、当該予約情報取得要求に係る患者に対応し且つ前記予約データベースに格納されている前記予約情報を前記カルテ端末に送信する手段と、
を有し、
前記カルテ端末は、
特定のユーザから特定の患者に係るカルテ入力画面の表示指示を受け付けた場合、前記特定の患者の識別情報を含む前記予約情報取得要求を前記カルテ管理サーバに送信する手段と、
前記カルテ管理サーバから前記特定の患者に対応する前記予約情報を受信する手段と、
前記カルテ管理サーバから受信した前記予約情報に前記特定のユーザの識別情報が含まれる場合には、当該予約情報に含まれる前記複数のユーザの各々の入力領域を備えたカルテ入力画面データを生成し、表示する手段と、
を有する電子カルテシステム。
【図面の簡単な説明】
【００５２】
【図１】本発明の実施の形態に係るシステム構成図である。
【図２】ユーザマスタＤＢに格納されるデータの一例を示す図である。
【図３】グループＤＢに格納されるデータの一例を示す図である。
【図４】端末情報ＤＢに格納されるデータの一例を示す図である。
【図５】患者の予約を行う際の処理フローを示す図である。
【図６】診療時の処理フロー（第１の部分）を示す図である。
【図７】診療時の処理フロー（第２の部分）を示す図である。
【図８】本実施の形態におけるカルテ入力画面の一例を示す図である。
【図９】本実施の形態におけるカルテ入力画面の一例を示す図である。
【図１０】本実施の形態におけるカルテ入力画面の一例を示す図である。
【図１１】コンピュータの機能ブロック図である。
【符号の説明】
【００５３】
１  ネットワーク
３  カルテ管理サーバ
５  カルテ端末
３１  予約処理部    ３２  認証処理部
３３  インタフェース部    ３４  カルテＤＢ
３５  ユーザマスタＤＢ    ３６  グループＤＢ
３７  端末情報ＤＢ
５１  入力部    ５２  カルテ入力画面データ生成部
【図１】
2009217324.tif 000003
【図２】
2009217324.tif 000004
【図３】
2009217324.tif 000005
【図４】
2009217324.tif 000006
【図５】
2009217324.tif 000007
【図６】
2009217324.tif 000008
【図７】
2009217324.tif 000009
【図８】
2009217324.tif 000010
【図９】
2009217324.tif 000011
【図１０】
2009217324.tif 000012
【図１１】
2009217324.tif 000013